(57)【要約】【課題】簡単な構造で組立が容易であり、上蓋片と側面が隙間なく組み立てられ、確実に収容物を包装する包装箱を提供する。【解決手段】互いに平行に連接され組立状態で筒体を形成する複数の側面１４，１６，１８，２０と、側面１４に折罫線３４を介して連接された上蓋片３２と、一対の側面１６，２０にそれぞれ連接して上フラップ５０，７２を有する。上フラップ５０，７２は、上フラップ５０，７２側に湾曲した上フラップ湾曲折線５２，７４を介して側面１６，２０に連接している。上フラップ５０，７２の、上フラップ湾曲折線５２，７４とは反対側の端部５０ａ，７２ａは、中心部分が外側に凸となる円弧状である。上蓋片３２の折罫線３４とは反対側の端部に、差込片３６を有し、差込片湾曲折線３８は、差込片３６側に膨らむように湾曲している。【選択図】図１
0003224241.tif 000002
【実用新案登録請求の範囲】
【請求項１】
一枚の箱体形成片から成り、前記箱体形成片には、互いに平行に連接され組立状態で筒体を形成する複数の側面と、前記側面の１つに折罫線を介して連接され前記筒体の開口部を閉鎖する上蓋片と、前記上蓋片が設けられた側面に隣接する一対の側面にそれぞれ連接して上フラップが設けられ、
前記上フラップは、前記上フラップ側に膨らむように湾曲した上フラップ湾曲折線を介して前記側面に連接し、前記上フラップ湾曲折線の両端部は、前記側面の開口縁部の角部に位置し、前記上フラップが前記側面に対して約直角に折り曲げ可能な円弧で形成され、
前記箱体形成片の組立状態では、前記上フラップは前記上フラップ湾曲折線の形状に沿って曲げられて中央部分が緩やかに上方に凸となるように膨らみ、前記上蓋片は前記上フラップの表面に重ねられ、上方に膨らむ前記上フラップに当接し上蓋片の裏面に隙間なく閉じられ、
前記上フラップの、前記上フラップ湾曲折線とは反対側の端部は、中心部分が外側に凸となる円弧で形成され、前記箱体形成片の組立状態では、前記上蓋片の裏面に前記端部が重ねられ、隙間なく閉じられることを特徴とする包装箱。
【請求項２】
前記上蓋片の前記折罫線とは反対側の端部に、差込片が差込片湾曲折線を介して設けられ、前記差込片湾曲折線は、前記差込片側に膨らむように湾曲し、前記差込片湾曲折線の両端部は、前記上蓋片の角部に位置し、前記差込片が前記上蓋片に対して約直角に折り曲げ可能な円弧で形成され、
前記包装箱を組み立てて前記上蓋片で閉鎖する時に、前記差込片は、前記差込片湾曲折線で折り曲げられ、前記上蓋片が設けられた側面に対向する前記側面の裏面に差し込まれて前記上蓋片を閉鎖し、前記上蓋片は、前記差込片湾曲折線の中心付近が緩やかに凸となり、前記差込片が差し込まれる前記側面との隙間が小さくなる請求項１記載の包装箱。
【考案の詳細な説明】
【技術分野】
【０００１】
本考案は、上蓋片と差込片を閉じて開口部を閉鎖する包装箱に関する。
【背景技術】
【０００２】
従来、１枚のブランクシートから一体的に打ち抜かれた箱体形成片から成る包装箱には、互いに平行に連接された側面と、前記側面から連なって箱体上面の開口部を閉鎖する上蓋片と、上蓋片に連接し対向する前記側面の内側に差し込んで閉鎖する差込片が設けられたものがある。
【０００３】
例えば、特許文献１に開示されている包装箱は、４つの側面が筒状に組み立てられ、一方の端部の開口部は底部で閉鎖され、他方の開口部は一枚の上蓋片で閉鎖される。上蓋片の先端には、差し込み片が設けられている。上蓋片が設けられた側面に隣接する一対の側面には、それぞれ湾曲折線を介して連接した上フラップが設けられている。湾曲折線は、側面側に突出して湾曲した側面湾曲折線と、上フラップ側に位置して突出するように湾曲した上フラップ湾曲曲線を備えている。箱体形成片の組立状態で、上フラップは上フラップ湾曲折線の形状に沿って湾曲して曲げられて、中央部分が緩やかに上方に凸となるように膨らむ。上蓋片は上フラップの表面に重ねられ、隙間なく閉じられる。
【先行技術文献】
【特許文献】
【０００４】
【特許文献１】実用新案登録第３１７７１１４号公報
【考案の概要】
【考案が解決しようとする課題】
【０００５】
上記背景技術の場合、上フラップと側面の間に、側面湾曲折線と上フラップ湾曲曲線の、２本が設けられているため、均等に折り曲げるために注意が必要であり、また折り曲げにくく、組み立て作業の工数も多いものである。
【０００６】
この考案は、上記背景技術の問題点に鑑みてなされたものであり、簡単な構造で組立が容易であり、上蓋片と側面が隙間なく組み立てられ、確実に収容物を包装する包装箱を提供することを目的とする。
【課題を解決するための手段】
【０００７】
本考案は、一枚の箱体形成片から成り、前記箱体形成片には、互いに平行に連接され組立状態で筒体を形成する複数の側面と、前記側面の１つに折罫線を介して連接され前記筒体の開口部を閉鎖する上蓋片と、前記上蓋片が設けられた側面に隣接する一対の側面にそれぞれ連接して上フラップが設けられた包装箱である。前記上フラップは、前記上フラップ側に膨らむように湾曲した上フラップ湾曲折線を介して前記側面に連接し、前記上フラップ湾曲折線の両端部は、前記側面の開口縁部の角部に位置し、前記上フラップが前記側面に対して約直角に折り曲げ可能な円弧で形成されている。前記箱体形成片の組立状態では、前記上フラップは前記上フラップ湾曲折線の形状に沿って曲げられて中央部分が緩やかに上方に凸となるように膨らみ、前記上蓋片は前記箱体形成片のシートの弾性により中央部分が僅かに上方に凸となるように膨らみ、前記上フラップの表面に重ねられ、上方に膨らむ前記上フラップに当接し上蓋片の裏面に隙間なく閉じられる。
【０００８】
前記上フラップの、前記上フラップ湾曲折線とは反対側の端部は、中心部分が外側に凸となる円弧で形成され、前記上フラップは略半円形状である。前記箱体形成片の組立状態では、前記上蓋片の裏面に前記端部が重ねられ、隙間なく閉じられる。
【０００９】
前記上蓋片の前記折罫線とは反対側の端部に、差込片が差込片湾曲折線を介して設けられ、前記差込片湾曲折線は、前記差込片側に膨らむように湾曲し、前記差込片湾曲折線の両端部は、前記上蓋片の角部に位置し、前記差込片が前記上蓋片に対して約直角に折り曲げ可能な円弧で形成されている。前記包装箱を組み立てて前記上蓋片で閉鎖する時に、前記差込片は、前記差込片湾曲折線で折り曲げられ、前記上蓋片が設けられた側面に対向する側面の裏面に差し込まれて前記上蓋片を閉鎖し、前記上蓋片は、前記差込片湾曲折線の中心付近が緩やかに凸となり、前記差込片が差し込まれる前記側面との隙間が小さくなる。
【考案の効果】
【００１０】
本考案の包装箱は、簡単な構造で組立が容易であり、上蓋片と側面が隙間なく組み立てられ、確実に収容物を包装することができる。
【図面の簡単な説明】
【００１１】
【図１】この考案の一実施形態の包装箱の上蓋片を開いた状態を示す斜視図（ａ）と、上蓋片を閉じた状態を示す斜視図（ｂ）である。
【図２】この実施形態の包装箱の展開図である。
【図３】この実施形態の包装箱の上蓋片を閉じる工程を示す正面図である。
【考案を実施するための形態】
【００１２】
以下、この考案の実施形態について図面に基づいて説明する。図１〜図３はこの考案の一実施形態を示すもので、この実施形態の包装箱１０は、紙製等の一枚のシートを打ち抜いて形成された箱体形成片１２を組み立てて設けられている。
【００１３】
図２は、箱体形成片１２を表面から見た展開図であり、箱体形成片１２は、側面１４，１６，１８，２０が、互いに平行に連接して形成されている。側面１４，１６，１８，２０は、連接方向と直交する幅方向の長さが互いに同じであり、連接方向の長さは、側面１４，１８が長くて互いにほぼ等しく、側面１６，２０が短くて互いにほぼ等しい。さらに、側面１４の側縁部には、包装箱１０の組立状態で側面２０の裏面に糊付けされる糊付片２２が設けられている。そして、糊付片２２、側面１４，１６，１８，２０は、各々折罫線２４，２６，２８，３０で区切られている。
【００１４】
側面１４において、側面どうしの連接方向に対して直角な方向の一方の端部には、矩形の上蓋片３２が直線の折罫線３４で区切られて設けられている。上蓋片３２の、折罫線３４とは反対側の端部には、さらに差込片３６が差込片湾曲折線３８で区切られて設けられている。差込片湾曲折線３８は、両端部が上蓋片３２の角部に位置し、差込片３６が上蓋片３２に対して約直角に折り曲げ可能な僅かな円弧であって、折罫線３４とは反対側の差込片３６の先端側に膨らんで形成されている。
【００１５】
側面１４の、折罫線３４とは反対側の端部には、底部を形成する第一底蓋片４０が折罫線４２で区切られて設けられている。第一底蓋片４０は、折罫線４２を下底とする台形状に形成され、折罫線４２に対して平行な上底である端部４０ａは、折罫線２６よりも折罫線２４の近くに位置し、変形した台形となる。折罫線４２から端部４０ａまでの長さは、包装箱１０の組立状態で底部の中心線を超えて対向する側面１８に近い位置に達する長さである。折罫線４２の端部から端部４０ａの端部を連結する一対の斜辺の、折罫線２６側に位置する斜辺には、折罫線４２に近い位置に、略三角形状の底部糊付片４４が折罫線４６で区切られて設けられている。底部糊付片４４の折罫線４２とは反対側の側縁部と第一底蓋片４０の斜辺が交差する位置は、包装用箱１０の組立状態で底部の中心に位置する。底部糊付片４４が設けられている斜辺と、端部４０ａが、交差する角部には、底部糊付片４４に向かって半円形状に膨出する突部４０ｂが形成され、突部４０ｂは斜辺に近い角度の折罫線４８で第一底蓋片４０と区切られている。
【００１６】
側面１６の、側面１４の折罫線３４に隣接する端部には、略半円形の上フラップ５０が上フラップ湾曲折線５２で区切られて設けられている。上フラップ湾曲折線５２は、上フラップ５０側に膨らむように湾曲して形成され、上フラップ湾曲折線５２の両端部は、側面１６の開口縁部の角部に位置し、上フラップ５０が側面１６に対して約直角に折り曲げ可能な円弧で形成されている。上フラップ５０の、上フラップ湾曲折線５２とは反対側の端部５０ａは、中心部分が外側に凸となる円弧で形成されている。端部５０ａは、両端部が側面１６の開口縁部の角部に位置し、角部と連続する部分は、折罫線２６又は折罫線２８の延長線に位置する短い直線となっている。折罫線２８の延長線に位置する端部には、上蓋片３２の差込片３６が係止される段部５４が形成されている。側面１６の、上フラップ湾曲折線５２とは反対側の端部には、底部を形成する台形状の底フラップ５６が折罫線５８で区切られて設けられている。
【００１７】
側面１８の、側面１６の上フラップ湾曲折線５２に隣接する端部１８ａは、包装箱１０の組立状態で上方に開口する開口縁部となり、何も設けられていない。端部１８ａには、開封する際に指で押圧する開封用押圧部６０が設けられている。開封用押圧部６０は、端部１８ａの中央部とＵ字状の破断線６２に囲まれて周囲と区切られている。
【００１８】
側面１８の、端部１８ａとは反対側の端部には、第二底蓋片６４が折罫線６６で区切られて設けられている。第二底蓋片６４は、第一底蓋片４０と同じ形状であり、折罫線６６を下底とする台形状に形成され、折罫線６６に対して平行な上底である端部６４ａは、折罫線３０よりも折罫線２８の近くに位置し、変形した台形となる。折罫線３０側に位置する斜辺には、折罫線６６に近い位置に、略三角形状の底部糊付片６８が折罫線７０で区切られて設けられている。底部糊付片６８が設けられている斜辺と、端部６４ａが、交差する角部には、底部糊付片６８に向かって半円形状に膨出する突部６４ｂが形成され、突部６４ｂは斜辺に近い角度の折罫線４８で第二底蓋片６４と区切られている。
【００１９】
側面２０の、側面１８の端部１８ａに隣接する端部には、略半円形の上フラップ７２が上フラップ湾曲折線７４で区切られて設けられている。上フラップ７２は、上フラップ５０と同じ形状である。上フラップ湾曲折線７４は、上フラップ７２側に膨らむように湾曲して形成され、上フラップ湾曲折線７４の両端部は、側面２０の開口縁部の角部に位置し、上フラップ７２が側面２０に対して約直角に折り曲げ可能な円弧で形成されている。上フラップ７２の、上フラップ湾曲折線７４とは反対側の端部７２ａは、中心部分が外側に凸となる円弧で形成されている。端部７２ａは、両端部が側面２０の開口縁部の角部に位置し、角部と連続する部分は、折罫線３０又は折罫線３０とは反対側に位置する側縁部の延長線に位置する短い直線となっている。折罫線３０の延長線に位置する端部には、段部５４が形成されている。側面２０の、上フラップ湾曲折線７４とは反対側の端部には、底フラップ５６と同じ形状の台形状の底フラップ７６が折罫線７８で区切られて設けられている。
【００２０】
次に、この実施形態の包装箱１０の組立方法の一例について説明する。なお、ここでは図２が包装箱１０の箱体形成片１２の表面を見たものであり、箱体形成片１２の表面が凸になる折り方を正折り、そして裏面が凸になる折り方を逆折りと称する。
【００２１】
まず、折罫線４２，５８，６６，７８で、第一底蓋片４０、底フラップ５６、第二底蓋片６４、底フラップ７６を正折りし、次に第一底蓋片４０の折罫線４６と、第二底蓋片６４の折罫線７０を逆折りし、底部糊付片４４，６８の裏面に、それぞれ糊８０を塗布する。次に、糊付片２２の表面に糊８２を塗布し、折罫線２６を正折りし、次に折罫線３０を正折りする。これにより、側面２０の裏面に糊付片２２が糊８２で糊付けされ、第一底蓋片４０の底部糊付片４４の裏面は、糊８０により底フラップ５６の表面に糊付けされ、第二底蓋片６４の底部糊付片６８の裏面は、糊８０により底フラップ７６の表面に糊付けされる。これにより、箱体形成片１２は折り畳み状態となり、この状態で出荷される。
【００２２】
次に、収容物を包装し包装する工場等において、折罫線２４，２６，２８，３０を各々９０°に正折りして四角形の筒体にする。この時、第一底蓋片４０の底部糊付片４４は底フラップ５６に、第二底蓋片６４の底部糊付片６８は底フラップ７６に糊付けされているため、二つ折りされていた折罫線４２，５８，６６，７８は自動的に引き起こされてほぼ９０°に開き、ワンタッチで底部が形成される。そして、第一底蓋片４０の端部４０ａは底フラップ７６の裏面に重なり、第二底蓋片６４の端部６４ａは底フラップ５６の裏面に重なり、互いに係止される。組立工程では、突部４０ｂと突部６４ｂは、折罫線４８で折り曲げられながら、互いの表面同士が合わせられて摺動し、組立状態では基端部どうしが当接し、元に戻ることを防ぐ。これにより底部が確実に係止され箱体の底部の形状を保ち、折り畳み状態に戻ることを防ぎ、図１（ａ）に示す状態となる。
【００２３】
包装箱１０の中に図示しない収容物を入れ、上フラップ湾曲折線５２，７４で上フラップ５０，７２を９０°に正折りする。この時上フラップ５０，７２は上フラップ湾曲折線５２，７４の形状に沿って湾曲して曲げられて、上フラップ湾曲折線５２，７４に対して平行な方向の中央部分が緩やかに上方に凸となるように膨らむ。
【００２４】
次に、図３に示すように、折罫線３４で上蓋片３２を９０°に正折りし、さらに差込片湾曲折線３８で差込片３６を９０°に正折りし、差込片３６を側面１８の裏面に沿って差し込み、閉鎖し、図１（ｂ）に示す状態となる。この時、上蓋片３２は箱体形成片１２のシートの弾性により、折罫線３４に交差する方向の形状は、中央部分が緩やかに上方に凸となるように膨らむ。しかし、上フラップ５０，７２は、湾曲折線５２，７４により、上方に凸となるように膨らんだ上蓋片３２の裏面に、隙間なく重ねられる。さらに、上フラップ５０，７２の端部５０ａ，７２ａは円弧で形成されているため、上方に凸となるように膨らんだ上蓋片３２の裏面の湾曲に沿うことができ、上蓋片３２の裏面に隙間なく接する。
【００２５】
側面１６，２０は、上フラップ湾曲折線５２，７４が開口縁となるが、開口縁が上方に凸となる円弧で形成されるため、上蓋片３２の湾曲と一致し、上蓋片３２の、折罫線２４，２６の延長線上に位置する一対の側縁部３２ａとの間の隙間が小さい。また、上蓋片３２の差込片３６は、差込片湾曲折線３８の形状に沿って湾曲して曲げられ、上蓋片３２の、差込片湾曲折線３８の中心付近は緩やかに凸となり、側面１８との隙間が小さくなり、差込片３６の中心付近は、側面１８の裏面にほぼ隙間なく接する。そして、差込片３６の中心付近と、側面１８の開封用押圧部６０を糊付けし、包装が完了する。
【００２６】
包装箱１０を開封する時は、開封用押圧部６０を押して破断線６２を切断し、差込片３６を引き抜いて上蓋片３２を開く。
【００２７】
この実施形態の包装箱１０によれば、簡単な構造で組立が容易であり、上蓋片３２と側面１６，２０の間が隙間なく組み立てられ、確実に収容物を包装することができる。上蓋片３２の裏面と上フラップ５０，７２が隙間なく閉じられ、また、上蓋片３２の一対の側縁部３２ａと側面１６，２０の開口縁との間の隙間が小さく、上蓋片３２の差込片３６と側面１８の隙間も小さいため、内容物である商品を確実に被覆した状態で包装することができ、異物の混入を防ぎ、商品をきれいな状態に保つことができる。上蓋片３２の再封時も同様に、隙間無く再封可能である。また、上蓋片３２の差込片３６と側面１８の隙間が小さいことから、開封用押圧部６０と差込片３６を確実に糊付けして閉鎖することができる。構造がシンプルであり、組立工程が増えることが無く、手間とコストが掛からない。
【００２８】
なお、この考案の包装箱は、上記各実施の形態に限定されるものではなく、各側面の大きさや形状、底部の構造等、自由に変更可能である。収容物は、色々なものに使用することができる。箱体形成片の素材は、紙以外に合成樹脂や合成樹脂と紙を積層したもの等、自由に選択可能である。
【符号の説明】
【００２９】
１０  包装箱
１２  箱体形成片
１４，１６，１８，２０  側面
３２  上蓋片
２４，２６，２８，３０，３４，４２，４６，５８，６６，７０，７８  折罫線
３６  差込片
３８  差込片湾曲折線
５０，７２  上フラップ
５０ａ，７２ａ  端部
５２，７４  上フラップ湾曲折線
【図１】
0003224241.tif 000003
【図２】
0003224241.tif 000004
【図３】
0003224241.tif 000005